(57)【要約】      （修正有）【課題】意匠性を向上させることができるディスプレイ支持什器を提供する。【解決手段】基部と、基部から上方に立設された支柱１２と、支柱１２に接続されるとともに、前面にディスプレイＤが取り付けられるディスプレイ支持具３１と、ディスプレイ支持具３１の後方に設けられた物品載置部７３と、を備える。物品載置部に物品を載置できるため、ディスプレイ支持什器とは別の場所に物品を保管する必要がなくなり、利便性を向上させることができる。ディスプレイ支持具３１の後方に物品載置部７３を設けることで、ユーザがディスプレイを前方からみたときに、物品載置部７３がユーザの視界に映るのを抑制できる。そのため、ディスプレイ支持什器の意匠性を向上させることができる。【選択図】図３
2019082562.tif 000002
【特許請求の範囲】
【請求項１】
基部と、
前記基部から上方に立設された立設部材と、
前記立設部材に接続されるとともに、前面にディスプレイが取り付けられるディスプレイ支持具と、
前記ディスプレイ支持具の後方に設けられた物品載置部と、を備えるディスプレイ支持什器。
【請求項２】
前記ディスプレイ支持具には、前記ディスプレイ支持具を後方から覆うカバー部材が設けられ、
前記物品載置部は、前記カバー部材に一体に形成されている請求項１に記載のディスプレイ支持什器。
【請求項３】
前記立設部材は、前記ディスプレイ支持具と前記カバー部材との間に形成された隙間を通じて前記ディスプレイ支持具と前記カバー部材との間に下方から進入し、前記ディスプレイ支持具に固定されている請求項２に記載のディスプレイ支持什器。
【請求項４】
前記ディスプレイ支持具は、後方に開口する箱型に形成されるとともに、前記立設部材を少なくとも前方、左右方向の両側及び上方から取り囲み、
前記カバー部材は、前記ディスプレイ支持具の後端開口部を閉塞している請求項３に記載のディスプレイ支持什器。
【請求項５】
前記ディスプレイ支持具には、把持部が設けられている請求項１から請求項４の何れか１項に記載のディスプレイ支持什器。
【発明の詳細な説明】
【技術分野】
【０００１】
本発明は、ディスプレイ支持什器に関する。
【背景技術】
【０００２】
各種施設（オフィスや公共施設等）の執務室や会議室等では、ディスプレイを所定の高さで支持するディスプレイ支持什器が設置されている場合がある。この種のディスプレイ支持什器は、キャスタが設けられた脚体と、脚体から上方に立設された支柱と、支柱の上部にブラケットを介して取り付けられたディスプレイと、を主に備えている（例えば、下記特許文献１，２参照）。
【０００３】
ところで、ディスプレイ支持什器には、ディスプレイの説明書やリモコン等（以下、まとめて「物品」という場合がある。）を載置する場所が必要となる。例えば特許文献１，２に記載されたディスプレイ支持什器では、支柱から前方に突出する棚板に物品が載置可能とされている。また、下記特許文献３には、ディスプレイの下方において、前方に延びるカメラ取付部をリモコン置場等に利用できる構成が開示されている。
【先行技術文献】
【特許文献】
【０００４】
【特許文献１】特開２０１６−９０６５２号公報
【特許文献２】特開２０１６−９０６５３号公報
【特許文献３】特開２０１５−７６７３９号公報
【発明の概要】
【発明が解決しようとする課題】
【０００５】
しかしながら、支柱やディスプレイに対して前方に物品の載置部を設けると、ユーザ（視聴者）が前方からディスプレイを見たときに物品や載置部が視界に映る可能性がある。そのため、従来のディスプレイ支持什器では、意匠性を向上させる点で未だ改善の余地があった。
【０００６】
本発明は、意匠性を向上させることができるディスプレイ支持什器を提供することを目的とする。
【課題を解決するための手段】
【０００７】
上記目的を達成するために、本発明の一態様に係るディスプレイ支持什器は、基部と、前記基部から上方に立設された立設部材と、前記立設部材に接続されるとともに、前面にディスプレイが取り付けられるディスプレイ支持具と、前記ディスプレイ支持具の後方に設けられた物品載置部と、を備える。
【０００８】
本態様によれば、物品載置部に物品を載置できるため、ディスプレイ支持什器とは別の場所に物品を保管する必要がなくなり、利便性を向上させることができる。
特に、本態様では、ディスプレイ支持具の後方に物品載置部を設けることで、ユーザがディスプレイを前方からみたときに、物品載置部がユーザの視界に映るのを抑制できる。そのため、ディスプレイ支持什器の意匠性を向上させることができる。
【０００９】
本発明の一態様に係るディスプレイ支持什器において、前記ディスプレイ支持具には、前記ディスプレイ支持具を後方から覆うカバー部材が設けられ、前記物品載置部は、前記カバー部材に一体に形成されていてもよい。
本態様によれば、ディスプレイ支持具の前面に、ディスプレイを取り付けるための取付部が形成されている場合であっても、取付部をカバー部材によって隠すことができる。これにより、ディスプレイ支持什器の意匠性をより一層向上させることができる。
しかも、物品載置部がカバー部材に一体に形成されているため、カバー部材及び物品載置部を別々に形成する場合に比べて、部品点数の削減や低コスト化を図ることができる。
【００１０】
本発明の一態様に係るディスプレイ支持什器において、前記立設部材は、前記ディスプレイ支持具と前記カバー部材との間に形成された隙間を通じて前記ディスプレイ支持具と前記カバー部材との間に下方から進入し、前記ディスプレイ支持具に固定されていてもよい。
本態様によれば、立設部材とディスプレイ支持具との固定部分がカバー部材によって覆われるので、意匠性の更なる向上を図ることができる。
【００１１】
本発明の一態様に係るディスプレイ支持什器において、前記ディスプレイ支持具は、後方に開口する箱型に形成されるとともに、前記立設部材を少なくとも前方、左右方向の両側及び上方から取り囲み、前記カバー部材は、前記ディスプレイ支持具の後端開口部を閉塞していてもよい。
本態様によれば、立設部材の周囲のうち、少なくとも前方、左右方向の両側及び上方がディスプレイ支持具に覆われ、後方がカバー部材により覆われる。これにより、ディスプレイ支持具と立設部材との固定部分が外部に露呈するのをより確実に抑制し、意匠性の更なる向上を図ることができる。
【００１２】
本発明の一態様に係るディスプレイ支持什器において、前記ディスプレイ支持具には、把持部が設けられていてもよい。
本態様によれば、ディスプレイ支持什器の移動が容易になる。
【００１３】
本発明の一態様によれば、意匠性を向上させることができる。
【図面の簡単な説明】
【００１４】
【図１】実施形態に係る什器の正面図。
【図２】実施形態に係る什器の背面図。
【図３】実施形態に係る什器を左後方から見た拡大斜視図。
【図４】カバー体を取り外した状態の実施形態に係る什器を後方から見た拡大背面図。
【図５】実施形態に係る什器の平面図。
【発明を実施するための形態】
【００１５】
次に、本発明の実施形態を図面に基づいて説明する。なお、以下の説明において、ディスプレイ支持什器１（以下、単に什器１という。）が設置された床面Ｇの法線方向を上下方向（矢印ＵＰが上方）とし、上下方向に直交する方向をそれぞれ前後方向（矢印ＦＲが前方）及び左右方向（矢印ＬＨが左側）とする。
【００１６】
［什器］
図１は、什器１の正面図である。図２は、什器１の背面図である。
図１、図２に示すように、什器１は、各種施設（オフィスや公共施設等）に設置されている。什器１は、ディスプレイＤを所定高さに支持した状態で、床面Ｇ上を移動可能に構成されている。これにより、施設内の所望の場所にディスプレイＤを移動させることができる。
【００１７】
本実施形態において、ディスプレイＤは、例えば液晶ディスプレイである。ディスプレイＤにおいて、筐体Ｄ１の後面（表示面（前面）とは反対側を向く面）中央部には、例えばＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）にて制定されたＶＥＳＡ  ＦＰＭＰＭＩ  Ｓｔａｎｄａｒｄに適合した位置及び寸法のねじ穴が形成されている。但し、ディスプレイＤには、情報を表示可能な構成であれば、液晶ディスプレイの他、有機ＥＬディスプレイやホワイトボード、プロジェクタ投影用のスクリーン等であってもよい。
【００１８】
什器１は、基部１１と、支柱（立設部材）１２と、マウントユニット１４と、を主に備えている。
基部１１は、多岐脚２１を備えている。多岐脚２１の各脚部には、床面Ｇ上を走行可能なキャスタ２２が取り付けられている。なお、基部１１は、キャスタ２２を有さない構成であってもよい。基部１１は、ディスプレイＤを支持可能な構成であれば、多岐脚２１以外の構成であってもよい。
【００１９】
支柱１２は、多岐脚２１の中央部から上方に立設されている。本実施形態において、支柱１２は、円筒状に形成されている。なお、支柱１２は、基部１１から複数本立設されていてもよい。支柱１２は、上下方向に伸縮可能な構成であってもよい。
【００２０】
＜マウントユニット＞
図３は、什器１を左後方から見た拡大斜視図である。
図３に示すように、マウントユニット１４は、前後方向に扁平した箱型に形成されている。マウントユニット１４は、支柱１２の上端部に設けられ、ディスプレイＤの後面を支持する。具体的に、マウントユニット１４は、ディスプレイ支持具３１と、把持部３３と、カバー体３４と、を主に備えている。
【００２１】
図４は、カバー体３４を取り外した状態の什器１を後方から見た拡大背面図である。
ディスプレイ支持具３１は、ベース部３５と、ブラケット３６と、を備えている。ベース部３５は、後方及び下方に開口する箱型に形成されている。すなわち、ベース部３５は、前壁４１と、前壁４１の上端部から後方に延びる上壁４２と、前壁４１の左右両端部から後方に延びる側壁４３と、を備えている。
【００２２】
ベース部３５の内側には、ベース部３５とカバー体３４との間に形成された隙間（以下、下端開口部３１ａという。）を通じて支柱１２の上端部が進入している。支柱１２の上端部は、ベース部３５の内側において、前壁４１や上壁４２に溶接等によって固定されている。なお、支柱１２とベース部３５との固定方法は、適宜変更可能である。ベース部３５が前壁４１の下端部に連なる下壁を有する場合、支柱１２をベース部３５の内側に案内する案内孔を下壁に形成してもよい。
【００２３】
ベース部３５の前壁４１は、ディスプレイＤ１の筐体Ｄ１に前後方向で対向している。前壁４１には、前壁４１を前後方向に貫通する前壁貫通孔５１が形成されている。前壁貫通孔５１は、上下方向及び左右方向に間隔をあけて複数形成されている。
【００２４】
ベース部３５の各側壁４３には、カバー取付部５２が形成されている。カバー取付部５２は、例えば側壁４３を左右方向に貫通する貫通孔５２ａと、側壁４３における左右方向の内側を向く面において貫通孔５２ａに対応する位置に設けられたナット５２ｂと、を有している。カバー取付部５２は、各側壁４３において、上下方向に間隔をあけて２ヵ所形成されている。但し、カバー取付部５２の数や位置等は適宜変更が可能である。
【００２５】
図５は、什器１の平面図である。
図５に示すように、ブラケット３６は、ベース部３５の前壁４１に、左右方向に間隔をあけて一対設けられている。各ブラケット３６は、左右方向に直交する仮想面に対して面対称に形成されている。したがって、以下の説明では、一方のブラケット３６を例にして説明する。
【００２６】
ブラケット３６は、上下方向に沿って直線状に延びるとともに、上下方向から見た平面視でクランク状に形成されている。具体的に、ブラケット３６は、第１取付片６１及び第２取付片６２と、各取付片６１，６２同士を接続する接続片６３と、を有している。
【００２７】
第１取付片６１は、接続片６３の前端部から左右方向の内側（什器１の左右方向の中心に接近する方向）に屈曲されている。第１取付片６１には、第１取付片６１を前後方向に貫通するディスプレイ取付孔６５が形成されている。ディスプレイ取付孔６５は、上下方向に間隔をあけて複数形成されている。第１取付片６１は、ディスプレイ取付孔６５を通じてディスプレイＤのねじ穴にねじ６６が螺着されることで、ディスプレイＤに固定される。
【００２８】
第２取付片６２は、接続片６３の後端部から左右方向の外側に屈曲されている。第２取付片６２には、ユニット取付部６７が形成されている。ユニット取付部６７は、例えば第２取付片６２を前後方向に貫通する貫通孔６７ａと、第２取付片６２の前面において貫通孔６７ａに対応する位置に設けられたナット６７ｂと、を有している。なお、ユニット取付部６７は、第２取付片６２において、上下方向に間隔をあけて２ヵ所形成されている。
【００２９】
第２取付片６２は、ディスプレイ支持具３１の前壁貫通孔５１及び第２取付片６２の貫通孔６７ａを通じてナット６７ｂにねじ６９が螺着されることで、ディスプレイ支持具３１に固定されている。但し、ブラケット３６とベース部３５との固定方法は、例えば溶接等、適宜変更が可能である。また、ベース部３５とブラケット３６とが一体に形成されていてもよい。
【００３０】
図２に示すように、把持部３３は、ベース部３５の各側壁４３にそれぞれ一対で設けられている。把持部３３は、左右方向の内側に向けて開口するＣ字状に形成されている。把持部３３の両端部は、対応する側壁４３に溶接等によって固定されている。図１に示すように、把持部３３は、マウントユニット１４にディスプレイＤが取り付けられた状態において、ディスプレイＤに前方から覆われる。これにより、把持部３３は、前方から見た正面視で視認不能になっている。図３、図５に示すように、側壁４３のうち、把持部３３の固定位置は、上述したカバー取付部５２に対して上下方向の外側、かつ後方に設定されている。但し、側壁４３における把持部３３の固定位置は、適宜変更が可能である。なお、把持部３３は、ユーザが把持可能な構成であれば、Ｃ字状に限られない。
【００３１】
カバー体３４は、ディスプレイ支持具３１（ベース部３５）に着脱可能に取り付けられている。図１に示すように、カバー体３４は、少なくともマウントユニット１４にディスプレイＤが取り付けられた状態において、前方から見た正面視で視認不能になっている。図３に示すように、カバー体３４は、左右方向から見た側面視でＪ字状に形成されている。カバー体３４は、カバー部材７１と、取付ステー７２と、物品載置部７３と、を有している。
【００３２】
図４、図５に示すように、カバー部材７１は、前後方向から見た正面視外形がベース部３５よりも大きい矩形状とされている。カバー部材７１は、ベース部３５の後端開口部３１ｂを後方から閉塞している。カバー部材７１は、ベース部３５のうち、上壁４２及び側壁４３の後端縁に前後方向で突き当たるとともに、前壁４１との間に隙間をあけて前後方向で対向している。すなわち、カバー部材７１は、ディスプレイ支持具３１の下端開口部３１ａを後方から区画している。これにより、上述した支柱１２の上端部は、ベース部３５とカバー部材７１とにより下方を除く周囲が覆われることで、マウントユニット１４の外部に露呈していない。なお、本実施形態において、カバー部材７１の外周部分は、正面視でベース部３５から外側にはみ出している。
【００３３】
図３、図５に示すように、取付ステー７２は、カバー部材７１の前面に、左右方向で間隔をあけて一対で設けられている。各取付ステー７２は、平面視でＬ字状に形成されている。具体的に、取付ステー７２の基端部は、カバー部材７１の前面に溶接等によって固定されている。取付ステー７２の先端部は、基端部における左右方向の外側端部から前方に向けて屈曲している。
【００３４】
図５に示すように、各取付ステー７２の先端部には、取付ステー７２を左右方向に貫通する取付孔７５が形成されている。本実施形態において、取付孔７５は、上下方向に間隔をあけて２ヵ所形成されている。各取付ステー７２は、取付孔７５及び側壁４３の貫通孔５２ａを通じてナット５２ｂにねじ７６が螺着されることで、側壁４３に固定されている。この場合、取付ステー７２は、後方から見てカバー部材７１の外周部分に覆われ、左右方向の外側から見て把持部３３と重なり合うことで、マウントユニット１４の外部から視認し難くなっている。なお、取付ステー７２は、ベース部３５に係止する構成等でもよい。
【００３５】
図３に示すように、物品載置部７３は、カバー部材７１の後方に一体で連なっている。物品載置部７３は、カバー部材７１の下部と協働して上方に開口する箱型に形成されている。具体的に、物品載置部７３の底壁８１は、カバー部材７１の下端縁から後方に延在している。底壁８１は、リモコン等の物品Ｂが載置可能に構成されている。
【００３６】
物品載置部７３において、底壁８１の後端縁には、上方に延びる後壁８２が形成されている。後壁８２は、カバー部材７１に対して前後方向に間隔をあけて対向している。
物品載置部７３において、底壁８１の左右両端縁には、上方に延びる立ち上がり壁８４が形成されている。立ち上がり壁８４は、カバー部材７１、底壁８１及び後壁８２とで画成された空間の内外を左右方向で仕切っている。なお、立ち上がり壁８４は、後壁８２よりも上下方向の高さが低くなっている。これにより、物品載置部７３の左右両側から物品載置部７３内へのアクセスがし易くなっている。
【００３７】
なお、物品載置部７３は、物品Ｂが載置可能であれば、箱型に限られない。例えば、物品載置部７３は、底壁８１のみを有していてもよい。物品載置部７３は、カバー部材７１において、上下方向や左右方向に間隔をあけて複数形成してもよい。物品載置部７３は、例えばフックを吊り下げる吊下部を有していてもよい。
【００３８】
＜ディスプレイの固定方法＞
続いて、上述した什器１にディスプレイＤを固定する方法について説明する。
まず、ディスプレイＤにブラケット３６を取り付ける。具体的には、第１取付片６１のディスプレイ取付孔６５を通じて、ディスプレイＤのねじ穴にねじ６６を螺着することで、ディスプレイＤにブラケット３６が取り付けられる。
【００３９】
続いて、ベース部３５からカバー体３４を取り外した状態で、ブラケット３６及びディスプレイＤをベース部３５に取り付ける。具体的には、ベース部３５の前壁貫通孔５１及び第２取付片６２の貫通孔６７ａを通じてナット６７ｂにねじ６９を螺着することで、ブラケット３６がベース部３５に取り付けられる。
【００４０】
その後、カバー体３４をベース部３５に取り付ける。具体的には、取付ステー７２の取付孔７５及び側壁４３の貫通孔５２ａを通じてナット５２ｂにねじ７６を螺着することで、カバー体３４がベース部３５に取り付けられる。
以上により、ディスプレイＤが什器１に取り付けられる。
【００４１】
このように、本実施形態では、ディスプレイ支持具３１の後方に物品載置部７３が設けられる構成とした。
この構成によれば、物品載置部７３に物品Ｂを載置できるため、物品Ｂを什器１とは別の場所に保管する必要がなくなり、利便性を向上させることができる。
特に、本実施形態では、ディスプレイ支持具３１の後方に物品載置部７３を設けることで、ユーザがディスプレイＤを前方からみたときに、物品載置部７３がユーザの視界に映るのを抑制できる。そのため、什器１の意匠性を向上させることができる。
【００４２】
本実施形態では、ディスプレイ支持具３１を後方から覆うカバー部材７１を備えている構成とした。
この構成によれば、ディスプレイ支持具３１の前面に、ディスプレイＤを取り付けるための取付部（例えば、前壁貫通孔５１等）が形成されている場合であっても、取付部をカバー部材７１によって隠すことができる。これにより、什器１の意匠性をより一層向上させることができる。
しかも、上述した物品載置部７３がカバー部材７１に一体に形成されているため、カバー部材７１及び物品載置部７３を別々に形成する場合に比べて、部品点数の削減や低コスト化を図ることができる。
【００４３】
本実施形態では、支柱１２の上端部がベース部３５の内側でベース部３５に固定されている構成とした。
この構成によれば、支柱１２とベース部３５との固定部分がカバー部材７１によって覆われるので、意匠性の更なる向上を図ることができる。
【００４４】
本実施形態では、ベース部３５が後方に開口する箱型に形成され、カバー部材７１がベース部３５の後端開口部３１ｂを閉塞する構成とした。
この構成によれば、支柱１２の周囲のうち、少なくとも前方、左右方向の両側及び上方がベース部３５に覆われ、後方がカバー部材７１により覆われる。これにより、ベース部３５と支柱１２との固定部分が外部に露呈するのをより確実に抑制し、意匠性の更なる向上を図ることができる。
【００４５】
本実施形態では、ディスプレイ支持具３１に把持部３３が設けられているため、什器１の移動が容易になる。
【００４６】
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
【００４７】
例えば、上述した実施形態では、ディスプレイ支持具３１が箱型に形成された構成について説明したが、この構成に限られない。ディスプレイ支持具３１は、例えば板状等であってもよい。この場合においても、ディスプレイ支持具３１の後方をカバー体３４により覆うことで、意匠性を向上させることができる。なお、ディスプレイ支持具３１が板状に形成され、カバー体３４がディスプレイ支持具３１を後方から覆う箱型に形成されていてもよい。
上述した実施形態では、カバー部材７１と物品載置部７３とが一体に形成された構成について説明したが、この構成に限らず、ディスプレイ支持具３１に物品載置部を直接設けてもよい。
【００４８】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００４９】
１…ディスプレイ支持什器
１１…基部
１２…支柱（立設部材）
３１…ディスプレイ支持具
３１ａ…下端開口部（隙間）
３３…把持部
７１…カバー部材
７３…物品載置部
【図１】
2019082562.tif 000003
【図２】
2019082562.tif 000004
【図３】
2019082562.tif 000005
【図４】
2019082562.tif 000006
【図５】
2019082562.tif 000007